(57)【要約】【課題】絵を描くことの文化的娯楽性を増加させるアニメーション効果を備えた画帳を提供する。【解決手段】アニメーション効果を備えた画帳１０は多数の撓むことが可能な長形シート２０および長形シート２０に設けられた多数のマーク図柄を備える。シート２０は相互に重なり合い、ページをめくって閲覧するために便利となるように、その一端は固定部材２６により固定され、もう一端は上辺が短く下辺が長くなるような階段状を呈する。また、各マーク図柄は使用者が絵を描く時の構図、および彩色の参考となるように提供されている。これより、使用者が各シートに絵を描いた後、素早くシート２０をめくって閲覧する場合、各シート２０に描かれた図柄は順番に現れ、即ち視覚の残像現象の原理を利用し、描かれた図柄は動的な連続映像となる。【選択図】図１
0003123190.tif 000002
【実用新案登録請求の範囲】
【請求項１】
アニメーション効果を備えた画帳において、
撓むことが可能な複数の長形シートを有し、該長形シートはそれぞれ互いに重なり合い、且つ該長形シートの一端は固定部材により固定され、もう一端は上辺を短く下辺を長くする方法により階段状に形成されているシート部と、
絵を描く時の構図および彩色する際の参考として用いられ、前記長形シートにそれぞれ設けられる複数のマーク図柄とを備え、
絵が描かれた前記長形シートを素早くめくって閲覧するとき、前記長形シート上に描かれた図柄が順に従って現れ、視覚の残像現象の原理を利用して描かれた図柄が動態の連続映像を現すことを特徴とするアニメーション効果を備えた画帳。
【請求項２】
前記長形シートに描かれたマーク図柄は同一であることを特徴とする請求項１に記載のアニメーション効果を備えた画帳。
【請求項３】
前記マーク図柄はマトリックス図柄であることを特徴とする請求項２に記載のアニメーション効果を備えた画帳。
【請求項４】
前記マーク図柄は不規則な図柄であることを特徴とする請求項２に記載のアニメーション効果を備えた画帳。
【請求項５】
前記長形シートは紙片またはプラスチック材質により作られていることを特徴とする請求項１に記載のアニメーション効果を備えた画帳。
【請求項６】
前記長形シート上のマーク図柄は各長形シートの順序に従い、連続動作を現すことを特徴とする請求項１に記載のアニメーション効果を備えた画帳。
【請求項７】
前記長形シートの両側は該長形シートの取り扱いを容易にするために、その内側にわずかに凹形の円弧状辺縁を有することを特徴とする請求項１に記載のアニメーション効果を備えた画帳。
【請求項８】
前記長形シートは前記固定部材より離れた側の一端が円弧状を呈することを特徴とする請求項１に記載のアニメーション効果を備えた画帳。
【請求項９】
前記長形シートは前記固定部材から離れた側の一端が傾斜角度を形成し、該傾斜角度の範囲は５°から４５°の間であることを特徴とする請求項１に記載のアニメーション効果を備えた画帳。
【考案の詳細な説明】
【技術分野】
【０００１】
本考案は画帳に関し、特にアニメーション効果を備えた画帳に関する。
【背景技術】
【０００２】
絵を描くことは人間の想像力を発揮することができ、且つ人間の事物への観察、および事物の特徴を理解するための好適な方法である。しかしながら、絵を描く才能は必ずしも各人に生来備わっているものではなく、ゆえに、絵を描くことを学べる道具として、また絵を描くことへの興味と楽しみを増加させるものとして、その使用者に対し数多くの図柄を備えた画帳が提供されている。
【０００３】
一般的な画帳の図柄はその殆どが印刷により完成されているもので、図柄には多くの異なるテーマ、例えば、アニメ人物、動物、植物等が含まれている。使用者は色鉛筆を利用するだけで図柄に彩色することができ、絵を描くという目的を果たすことができる。
ところが、画帳の図柄は殆どが単調で変化に乏しいものであり、図柄に彩色した後はただ一つの固定化されたパターンを有するのみで、より生き生きとした効果をはっきりと現すことはできず、使用者の絵を描くことへの娯楽性と創作性を低めることになっていた。
【考案の開示】
【考案が解決しようとする課題】
【０００４】
本考案の目的はアニメーション効果を備えた画帳を提供することであり、使用者が絵を描く時の構図および彩色の参考となる多数のマーク図柄を有し、その画帳をめくることにより、描かれた図柄が動的な連続映像を呈し、絵を描くことの文化的娯楽性を増加させるアニメーション効果を備えた画帳を提供することである。
【課題を解決するための手段】
【０００５】
上述の目的を達成するため、本考案が提供するアニメーション効果を備えた画帳は多数の撓むことが可能な長形シートおよび該長形シートに設けられた多数のマーク図柄を備える。該シートは相互に重なり合い、ページをめくって閲覧するために便利となるように、その一端は固定部材により固定され、もう一端は上辺が短く下辺が長くなるような階段状を呈する。また、前記各マーク図柄は使用者が絵を描く時の構図、および彩色の参考となるように提供されている。これより、使用者が前記各シートに絵を描いた後、素早く該シートをめくって閲覧する場合、前記各シートに描かれた図柄は順番に現れ、即ち視覚の残像現象の原理を利用し、描かれた図柄は動的な連続映像を呈するようになる。
【０００６】
本考案が提供するアニメーション効果を備えた画帳において、前記各シートのマーク図柄は同一であってもよい。
本考案が提供するアニメーション効果を備えた画帳において、前記マーク図柄はマトリックス図柄であってもよい。
本考案が提供するアニメーション効果を備えた画帳において、前記マーク図柄は不規則な図柄であってもよい。
【０００７】
本考案が提供するアニメーション効果を備えた画帳において、前記各シートのマーク図柄は各シートの順序に従い、連続動作を呈してもよい。
本考案が提供するアニメーション効果を備えた画帳において、前記シートの両側は内側にわずかに凹形を呈する円弧状辺縁を有し、使用者が該シートを取り上げるために便利であってもよい。
【０００８】
本考案が提供するアニメーション効果を備えた画帳において、前記シートは前記固定部材より離れた一端の側が円弧状を呈してもよい。
本考案が提供するアニメーション効果を備えた画帳において、前記シートは前記固定部材より離れた一端の側が傾斜角度を形成し、該傾斜角度の範囲は５°より４５°の間であってもよい。
【考案を実施するための最良の形態】
【０００９】
本考案の構造および効果を詳述するため、図面と共に以下より好ましい実施の形態を挙げ、説明する。まず図面について、簡単に説明する。
図１は本考案の第一実施例の斜視図である。
図２は本考案の第一実施例の平面図である。
図３は本考案の第一実施例の正面図である。
図４は本考案の第一実施例のもう一つの様相の平面図である。
図５は本考案の第二実施例の平面図である。
図６は本考案の第二実施例の斜視図である。
図７は本考案の第二実施例の使用状態における説明図である。
【００１０】
まず、図１から図４を参照すると、本考案の第一実施例が提供するアニメーション効果を備えた画帳１０は多数の撓むことが可能なシート２０、およびそれぞれ前記各シート２０に設けられたマーク図柄３０を備える。
前記シート２０は長さが異なる紙片であり、互いの間は階段状を呈し、重なり合うように配列されている。前記各シート２０の前端は円弧形を呈し、且つ最低層のシート２０の長さが最長になるところに位置し、順序に従い上方に積み重なるように配列される時、前記シート２０の長さは段々と短くなり、該シート２０の前端は階段状を呈し、且つ傾斜角度θを形成する。本実施例において、該傾斜角度θは３０°であり、使用者がページをめくって閲覧するために役立つ。前記シート２０の両側中央位置は内側にわずかに凹形の円弧状辺縁２２を有し、使用者が該シートを取り上げるために便利である。前記シート２０の後端は互いに切り揃えられ、且つ前記シート２０の後端両側の各３分の１の位置のところに２つの穴２４を設け、さらに該シート２０の後端を固定するため、前記穴２４に穿設された固定部材２６を利用する。本実施例において、該固定部材２６はひも状に構成される金属材質またはプラスチック材質としてもよい。
【００１１】
前記マーク図柄３０はそれぞれ前記各シート２０の表面に印刷され、各シート２０上のマーク図柄３０は全て同一で、各該マーク図柄３０は多数の破線３２により構成されている。本実施例において、前記マーク図柄３０は図２に示すような不規則な図柄である。
本実施例が提供するアニメーション効果を備えた画帳１０は、使用者が色鉛筆を利用し、任意に前記破線３２に沿って使用者が表現したいと考える図案を描き出すことを可能とし、これより、使用者は創意工夫を訓練するための道具として本実施例を利用すること、そして画帳を使用する上での楽しみを増加させることができる。このほか、使用者は手で前記シート２０をめくることが可能で、該シート２０を順番に従い上方へとめくり上げると、前記マーク図柄３０は視覚の残像現象が生み出す動態の連続映像により、アニメーションの効果をもたらす。即ち、本実施例が提供する画帳１０は画帳１０上のマーク図柄３０に異なる変化を持たせ、絵を描くことへの文化的娯楽性を増加させるという目的を達成するために用いられる。
【００１２】
さらに提示に値するのは、前記シート２０の材質は紙片以外、プラスチックまたはその他撓むことが可能な材質により製造され、同じく本考案の目的を達成することが可能な点である。また、前記シート２０の前端の傾斜角度θは５°から４５°の間でもよく、いずれも使用者がページをめくる際に役立つものとなる。このほか、前記シート２０の後端は前記穴２４および前記固定部材２６を利用して固定される他、製本またはラミネート等の方法を利用し固定することもできる。また、図４が示すように、前記マーク図柄３０は互いに平行且つ交差する多数の斜線であり、該マーク図柄３０は略マトリックス状の配列を呈してもよい。
【００１３】
再度図５から図７を参照すると、図５は本考案の第二実施例が提供するアニメーション効果を備えた画帳４０であり、その主な構造は第一実施例とほぼ似通っており、その違いは前記マーク図柄４１が前記各シート４２上に特定の図柄を構成している点のみである。本実施例において、前記マーク図柄４１は少女が歩いているというものだが、使用者は破線４３に沿って該マーク図柄４１を描き出すことができる。さらに手でシート４２をめくり、また該シート４２を順序に従ってめくり上げると、該マーク図柄４１は視覚の残留現象により動態の連続映像を生み出し、前述の第一実施例と同様に本考案の目的を達成するために用いられる。
【図面の簡単な説明】
【００１４】
【図１】本考案の第一実施例によるアニメーション効果を備えた画帳の斜視図である。
【図２】本考案の第一実施例によるアニメーション効果を備えた画帳の平面図である。
【図３】本考案の第一実施例によるアニメーション効果を備えた画帳の正面図である。
【図４】本考案の第一実施例によるアニメーション効果を備えた画帳のもう一つの様相の平面図である。
【図５】本考案の第二実施例によるアニメーション効果を備えた画帳の平面図である。
【図６】本考案の第二実施例によるアニメーション効果を備えた画帳の斜視図である。
【図７】本考案の第二実施例によるアニメーション効果を備えた画帳の使用状態の説明図である。
【符号の説明】
【００１５】
１０  画帳、２０  シート、θ  傾斜角度、２２  円弧状片縁、２４  穴、２６  固定部材、３０  マーク図柄、３２  破線、４０  画帳、４１  マーク図柄、４２  シート、４３  破線
【図１】
0003123190.tif 000003
【図２】
0003123190.tif 000004
【図３】
0003123190.tif 000005
【図４】
0003123190.tif 000006
【図５】
0003123190.tif 000007
【図６】
0003123190.tif 000008
【図７】
0003123190.tif 000009